(57)【要約】      （修正有）【課題】端末の利用履歴を用い、ユーザの利用形態を考慮してユーザの位置情報に応じたウェブページの閲覧支援を行う携帯端末を提供する。【解決手段】携帯電話機は、ＷＬＡＮアクセスポイントとアソシエーション前のデータの送受信を行うＷＬＡＮ通信部と、情報検索サーバを用いて閲覧ページに関連するウェブページの情報を取得し表示部に表示させる関連ページ提示部を有する。携帯電話機は、周辺のＡＰから取得したＳＳＩＤ情報と情報検索サーバの情報とを関連付けて設定情報テーブル記憶部に記憶し、ユーザの利用履歴に応じて設定情報テーブルの内容を変更し、記憶されたＳＳＩＤ情報を用いて設定情報テーブル記憶部を検索してＳＳＩＤ情報に関連付けられた情報検索サーバの情報を抽出する。関連ページ提示部は、設定情報抽出部により抽出された情報検索サーバを用いて取得したウェブページの情報を優先的に表示部に表示させる。【選択図】図４
2011155458.tif 000002
【特許請求の範囲】
【請求項１】
ユーザが閲覧中のウェブページの内容に関連するウェブページの情報をユーザに提示することによりユーザのウェブページ閲覧を支援する携帯端末であって、
無線通信により無線ＬＡＮアクセスポイントと少なくともアソシエーション前のデータの送受信を行う無線ＬＡＮ通信部と、
前記閲覧中のウェブページの内容を解析する閲覧ページ内容解析部と、
前記閲覧ページ内容解析部の解析結果にもとづいて所定の情報検索サーバを用いて前記閲覧中のウェブページに関連するウェブページの情報を検索して取得し、この関連するウェブページの情報を表示部に表示させる関連ページ提示部と、
前記無線ＬＡＮ通信部を介して周辺の無線ＬＡＮアクセスポイントから少なくともアソシエーション前までのデータの送受信により受信した信号からサービスセット識別子の情報を取得する識別子取得部と、
前記識別子取得部により取得された前記周辺の無線ＬＡＮアクセスポイントのサービスセット識別子の情報を記憶する周辺識別子記憶部と、
サービスセット識別子の情報と情報検索サーバの情報とを関連付けて記憶する設定情報テーブル記憶部と、
前記周辺識別子記憶部に記憶されたサービスセット識別子を用いて前記設定情報テーブル記憶部を検索し、このサービスセット識別子の情報に関連付けられた前記情報検索サーバの情報を抽出する設定情報抽出部と、
を備え、
前記関連ページ提示部は、
前記閲覧中のウェブページに関連するウェブページの情報を前記表示部に表示させる際、前記設定情報抽出部により抽出された前記情報検索サーバを用いて取得したウェブページの情報を優先的に前記表示部に表示させる、
ことを特徴とする携帯端末。
【請求項２】
ユーザの利用履歴に応じて前記設定情報テーブルの内容を変更するテーブル変更部、
をさらに備えた請求項１記載の携帯端末。
【請求項３】
前記無線ＬＡＮ通信部は、
無線通信により無線ＬＡＮアクセスポイントの一つとアソシエーション処理を行うことにより無線ＬＡＮ接続を行いこの一つの無線ＬＡＮアクセスポイントを介してインターネット網に接続されたウェブサーバとデータの送受信を行い、
前記関連ページ提示部および前記テーブル変更部は、
前記無線ＬＡＮ通信部および前記一つの無線ＬＡＮアクセスポイントを介してインターネット網に接続されたウェブサーバとのデータ送受信を行う、
請求項２記載の携帯端末。
【請求項４】
無線通信により移動体基地局を介してインターネット網に接続されたウェブサーバとデータの送受信を行う移動体通信部、
をさらに備え、
前記関連ページ提示部および前記テーブル変更部は、
前記移動体通信部を介してインターネット網に接続されたウェブサーバとのデータ送受信を行う、
請求項２または３に記載の携帯端末。
【請求項５】
前記テーブル変更部は、
ユーザがウェブページを閲覧中に前記周辺の無線ＬＡＮアクセスポイントのサービスセット識別子の情報が取得されると、前記閲覧中のウェブページを提供する情報検索サーバの情報を取得し、前記周辺の無線ＬＡＮアクセスポイントのサービスセット識別子の情報と前記閲覧中のウェブページを提供する情報検索サーバの情報とを関連付けて前記設定情報テーブルに記憶させる、
請求項２ないし４のいずれか１項に記載の携帯端末。
【請求項６】
前記テーブル変更部は、
ユーザにより入力部を介して前記関連ページ提示部により利用されるべき情報検索サーバが設定されると、前記周辺識別子記憶部に記憶された前記周辺の無線ＬＡＮアクセスポイントのサービスセット識別子の情報と前記追加された前記所定の情報検索サーバとを関連付けて前記設定情報テーブルに記憶させる、
請求項２ないし５のいずれか１項に記載の携帯端末。
【発明の詳細な説明】
【技術分野】
【０００１】
本発明は、ユーザの位置情報に応じて動作を制御する携帯端末に関する。
【背景技術】
【０００２】
従来、この種のユーザの位置情報に応じて携帯端末の動作を制御する技術に、特開２００８−２１９５５０号公報（特許文献１）に開示された技術がある。
【０００３】
特許文献１に開示された携帯端末は、複数の情報提供元の各々の無線ＬＡＮ（Wireless Local Area Network、以下ＷＬＡＮという）のアクセスポイント（以下、ＡＰという）の情報提供元識別情報とＳＳＩＤと暗号鍵と情報提供ＵＲＬ（Uniform Resource Locator）とを含む情報を記憶した記憶部と、ＡＰと無線通信を行う無線ＬＡＮ通信部と、無線ＬＡＮ通信部により周辺のＡＰから受信されたビーコン内に含まれるサービスセット識別子（Service Set Identifier、以下ＳＳＩＤという）にもとづいて、記憶部に記憶されたＡＰの情報提供元識別情報および通信ネットワーク上の情報提供ＵＲＬを認識し、表示装置に情報提供元の一覧表示を行うとともに、入力装置によるいずれかの情報提供元に対する指示操作に応じて、情報提供ＵＲＬにもとづき外部の情報提供サーバへアクセスし、得られた情報を表示装置に表示させる制御手段と、を少なくとも備える。
【０００４】
ＡＰが広告するビーコンを携帯端末が受信可能な距離は、一般に数十メートルである。このため、ＡＰからＳＳＩＤの取得に成功した場合、携帯端末はこのＡＰから数十メートルの範囲内に位置することになる。したがって、特許文献１に開示された技術によれば、携帯端末は、あらかじめ記憶部に記憶されたＡＰから取得したＳＳＩＤを利用することにより、現在の位置に応じた情報をユーザに提示することができる。なお、サービスセット識別子（ＳＳＩＤ）にはＥＳＳＩＤ（Extended SSID）を含むものとする。
【先行技術文献】
【特許文献】
【０００５】
【特許文献１】特開２００８−２１９５５０号公報
【発明の概要】
【発明が解決しようとする課題】
【０００６】
ところで、最近、ユーザがウェブページを閲覧している場合に、閲覧中のウェブページの内容に関連するウェブページを自動的に検索してユーザに提示するための種々の技術が提案されている。この種のウェブページ閲覧を支援する技術によれば、ユーザは自身の関心あるウェブページの閲覧が容易となる。しかし、従来のユーザの位置情報に応じて携帯端末の動作を制御する技術では、このウェブページの閲覧支援について全く考慮していない。
【０００７】
本発明は、上述した事情を考慮してなされたもので、ユーザの位置情報に応じたウェブページの閲覧支援を行うことができる携帯端末を提供することを目的とする。
【課題を解決するための手段】
【０００８】
本発明に係る携帯端末は、上述した課題を解決するために、ユーザが閲覧中のウェブページの内容に関連するウェブページの情報をユーザに提示することによりユーザのウェブページ閲覧を支援する携帯端末であって、無線通信により無線ＬＡＮアクセスポイントと少なくともアソシエーション前のデータの送受信を行う無線ＬＡＮ通信部と、前記閲覧中のウェブページの内容を解析する閲覧ページ内容解析部と、前記閲覧ページ内容解析部の解析結果にもとづいて所定の情報検索サーバを用いて前記閲覧中のウェブページに関連するウェブページの情報を検索して取得し、この関連するウェブページの情報を表示部に表示させる関連ページ提示部と、前記無線ＬＡＮ通信部を介して周辺の無線ＬＡＮアクセスポイントから少なくともアソシエーション前までのデータの送受信により受信した信号からサービスセット識別子の情報を取得する識別子取得部と、前記識別子取得部により取得された前記周辺の無線ＬＡＮアクセスポイントのサービスセット識別子の情報を記憶する周辺識別子記憶部と、サービスセット識別子の情報と情報検索サーバの情報とを関連付けて記憶する設定情報テーブル記憶部と、前記周辺識別子記憶部に記憶されたサービスセット識別子を用いて前記設定情報テーブル記憶部を検索し、このサービスセット識別子の情報に関連付けられた前記情報検索サーバの情報を抽出する設定情報抽出部と、を備え、前記関連ページ提示部は、前記閲覧中のウェブページに関連するウェブページの情報を前記表示部に表示させる際、前記設定情報抽出部により抽出された前記情報検索サーバを用いて取得したウェブページの情報を優先的に前記表示部に表示させる、ことを特徴とするものである。
【発明の効果】
【０００９】
本発明に係る携帯端末によれば、ユーザの位置情報に応じたウェブページの閲覧支援を行うことができる。
【図面の簡単な説明】
【００１０】
【図１】本発明の一実施形態に係る携帯電話機の構成例を示す概略的な全体構成図。
【図２】携帯電話機の外観の一例を示す図。
【図３】携帯電話機の内部構成例を概略的に示すブロック図。
【図４】主制御部のＣＰＵによる機能実現部の構成例を示す概略的なブロック図。
【図５】主制御部により、ユーザが閲覧中のウェブページの内容が解析され、このウェブページの内容に関連するウェブページの情報が提案される様子の一例を示す説明図。
【図６】ユーザの位置情報に応じたウェブページの閲覧支援の手順を説明するためのフローチャート。
【図７】ＳＳＩＤ「Restaurant」に関する設定情報テーブル記憶部の記憶内容の一例を示す説明図。
【図８】テーブル変更部によりユーザの利用履歴に応じて設定情報テーブル記憶部の記憶内容が変更される手順の一例を説明するためのフローチャート。
【図９】図７に示した設定情報テーブル記憶部に対しテーブル変更部によりエントリが追加された様子の一例を示す説明図。
【図１０】テーブル変更部によりユーザの利用履歴に応じて設定情報テーブル記憶部の記憶内容が変更される手順の他の例を説明するためのフローチャート。
【図１１】ユーザがＳＳＩＤ「Restaurant」のレストランのＡＰおよびＳＳＩＤ「Station」の駅のＡＰの両ＡＰからビーコン信号を受信可能な位置にいる様子を示す説明図。
【図１２】第２の実施形態に係る設定情報テーブル記憶部の記憶内容の一例を示す説明図である。
【図１３】ユーザがＳＳＩＤ「Station」の駅のＡＰからビーコン信号を受信可能な位置から、ＳＳＩＤ「Neighbor」の自宅近隣のＡＰからビーコン信号を受信可能な位置へ移動する様子を示す説明図。
【図１４】第３の実施形態に係る設定情報テーブル記憶部の記憶内容の一例を示す説明図。
【図１５】ユーザがＳＳＩＤ「MyCar」の車のＡＰからビーコン信号を受信可能な位置である車内におり、この車で移動する様子を示す説明図。
【図１６】第４の実施形態に係る設定情報テーブル記憶部の記憶内容の一例を示す説明図。
【図１７】第４の実施形態に係る主制御部のＣＰＵによる機能実現部の構成例を示す概略的なブロック図。
【発明を実施するための形態】
【００１１】
本発明に係る携帯端末の実施の形態について、添付図面を参照して説明する。なお、本発明は、無線ＬＡＮアクセスポイントからＳＳＩＤを取得可能な種々の携帯端末に適用することができる。以下の説明では、本発明に係る携帯端末として、携帯電話機を用いる場合の一例について示す。
【００１２】
（１）構成
図１は、本発明の一実施形態に係る携帯電話機１０の構成例を示す概略的な全体構成図である。
【００１３】
携帯電話機１０は、図１に示すように、基地局１００を介して移動体通信網（携帯電話網）１０１に接続される。移動体通信網１０１は、図示しないゲートウェイサーバ等を介してインターネット網１０２に接続される。インターネット網１０２には情報検索サーバ群１１０が接続される。情報検索サーバ群１１０は、テレビ番組検索サーバ、レシピ検索サーバ、動画検索サーバ、乗換案内サーバなどの種々の情報検索サーバを含む。
【００１４】
携帯電話機１０のユーザの自宅にはＤＬＮＡ（Digital Living Network Alliance）サーバ１１が設置される。ＤＬＮＡサーバ１１には、動画、音楽、写真などのデータが記憶されている。
【００１５】
なお、ＤＬＮＡサーバ１１と他の電子機器との接続は、一般に自宅内に構築されたＬＡＮ（Local Area Network）を介して行われることが多い。しかし、ＤＬＮＡサーバと本実施形態に係る携帯電話機１０とはデータ送受信可能に有線や無線により接続されればよく、ＤＬＮＡサーバ１１はたとえばインターネット網１０２接続されてもよいし、自宅内に構築されたＬＡＮ（Local Area Network）に接続されてもよい。以下の説明では、ＤＬＮＡサーバ１１がインターネット網１０２に接続される場合の例について示す。
【００１６】
各情報検索サーバおよびＤＬＮＡサーバ１１はそれぞれ、携帯電話機１０から情報検索要求を受けると、要求に合致したウェブページおよびコンテンツ情報をデータベースから検索し、検索結果を携帯電話機１０に与える。
【００１７】
携帯電話機１０は、ＩＥＥＥ８０２．１１シリーズ（ＩＥＥＥ８０２．１１ａ／ｂ／ｇ／ｊ／ｎなど）の各方式に従って無線ＬＡＮアクセスポイント（ＡＰ）とデータの送受信を行うことができる。携帯電話機は、ＡＰや他のＷＬＡＮ接続可能な情報処理装置などの親機とＷＬＡＮ接続を確立することができる。
【００１８】
たとえば、ユーザが自宅にいる場合は、携帯電話機１０は自宅のＡＰ１２とＷＬＡＮ接続を確立することができる。また、レストランのＡＰ１３の周辺にいる場合は、携帯電話機１０はレストランのＡＰ１３とＷＬＡＮ接続を確立することができる。
【００１９】
なお、本実施形態では、携帯電話機１０が、基地局１００を介してインターネット網１０２に接続することができる場合の例について示す。この場合、携帯電話機１０は、ＡＰ１２や１３などのＡＰを介すことなく情報検索サーバ群１１０を用いて情報検索することができる。
【００２０】
携帯電話機１０は、周辺に存在するＡＰのＳＳＩＤ（ＥＳＳＩＤを含む）の情報を利用することができれば、ユーザの位置情報に応じたウェブページの閲覧支援を行うことができる。ＡＰのＳＳＩＤの情報は、携帯電話機１０とＡＰとがアソシエーション前に送受信するデータに含まれることが多い。
【００２１】
したがって、基地局１００を介して情報検索サーバ群１１０と接続可能である場合は、ユーザの位置情報に応じたウェブページの閲覧支援を行うためには、携帯電話機１０は、ＡＰ１２や１３と少なくともアソシエーション前のデータの送受信を行うことができればよく、必ずしもアソシエーション処理を伴うＷＬＡＮ接続を行わなくともよい。一方、携帯電話機１０がＡＰとＷＬＡＮ接続を行う場合には、携帯電話機１０は必ずしも基地局１００を介したインターネット網１０２への接続を行わなくともよい。
【００２２】
図２は、携帯電話機１０の外観の一例を示す図である。
【００２３】
携帯電話機１０は、第１のユニット２１、第２のユニット２２および第２のユニット２２に対し第１のユニット２１を開閉自在に連結する連結部２３を有する。
【００２４】
図１に示すように、第２のユニット２２は、第１のユニット２１に対して、開閉軸を中心として開閉自在となるように、連結部２３（ヒンジ）を介して連結される。第２のユニット２２が開閉軸を中心として回転することにより、携帯電話機１０は、開いている状態（図１参照）と閉じた状態とで位置決めすることができる。
【００２５】
第１のユニット２１は、薄い箱形の筐体２４を有し、この筐体の上面の表面上には、入力部２５およびマイクロフォン２６が設けられる。第２のユニット２２は、薄い箱形の筐体２７を有し、この筐体上面の表面上には、表示部２８およびレシーバ２９が設けられる。
【００２６】
入力部２５は、たとえばテンキー、タッチパネルなどの一般的な入力装置により構成され、ユーザの入力操作に対応した信号を出力する。ユーザは、入力部２５を介してウェブページ閲覧支援の開始指示や周辺のＡＰからのＳＳＩＤの取得試行指示などを行うことができる。
【００２７】
マイクロフォン２６は、ユーザによって入力された音声をデジタル音声信号に変換する。
【００２８】
表示部２８は、たとえば液晶ディスプレイやＯＬＥＤ（Organic Light Emitting Device）ディスプレイなどの一般的な表示出力装置により構成され、表示部２８の背景画像（壁紙）、壁紙に重畳表示される電池残量や電波強度を概略的に示す画像などの各種アイコンや、着信時に表示される画像および映像などを表示する。
【００２９】
レシーバ２９は、受話音声をはじめとした各種の情報に対応した音声を出力する。
【００３０】
図３は、携帯電話機１０の内部構成例を概略的に示すブロック図である。なお、図３には携帯電話機１０がＳＳＩＤを取得するＡＰが自宅のＡＰ１２である場合の一例について示した。
【００３１】
携帯電話機１０は、図１に示した入力部２５、マイクロフォン２６、表示部２８、レシーバ２９などのほか、少なくとも移動体通信用アンテナ３１、移動体通信部３２、ＷＬＡＮ通信用アンテナ３３、ＷＬＡＮ通信部３４、周辺識別子記憶部３５、設定情報テーブル記憶部３６および主制御部３７を有する。
【００３２】
移動体通信部３２は、主制御部３７に制御されて、移動体通信用アンテナ３１を介して、移動体通信網１０１を介した音声データの送受信のほか、インターネット網１０２を介したデータの送受信を行う。
【００３３】
なお、本発明に係る携帯端末として移動体通信網（携帯電話網）１０１への接続が不要な携帯端末を用いる場合であってこの携帯端末がＡＰとＷＬＡＮ接続を行う場合には、携帯端末は基地局１００を介したインターネット網１０２への接続を必要としない。この場合、携帯端末は移動体通信用アンテナ３１および移動体通信部３２を備えずともよい。
【００３４】
ＷＬＡＮ通信部３４は、主制御部３７に制御されて、ＷＬＡＮ通信用アンテナ３３を介して、ＡＰと少なくともアソシエーション前のデータの送受信を行い、ＡＰのＳＳＩＤの情報を取得する。たとえば、ＷＬＡＮ通信部３４は、ＷＬＡＮ通信用アンテナ３３を介して、自宅のＡＰ１２と少なくともアソシエーション前のデータの送受信を行うことにより、ＡＰ１２のＳＳＩＤの情報を含む信号を受信する。
【００３５】
なお、本発明に係る携帯端末が移動体通信用アンテナ３１および移動体通信部３２を備えない場合には、ＷＬＡＮ通信部３４はＡＰとアソシエーション処理を経てＷＬＡＮ接続する。この場合、携帯端末はＷＬＡＮ接続したＡＰを介してインターネット網に接続される。
【００３６】
周辺識別子記憶部３５は、主制御部３７により制御され、ＷＬＡＮ通信部３４を介して取得された周辺のＡＰのＳＳＩＤの情報を記憶する。主制御部３７は、ユーザの指示を受けたときまたは所定の時間間隔で、利用可能な周波数帯域をスキャンする。主制御部３７は、このスキャンの結果取得した現在ＷＬＡＮ通信可能な距離に存在する（携帯電話機１０の周辺にある）ＡＰのＳＳＩＤの情報を周辺識別子記憶部３５に記憶させる。
【００３７】
なお、周辺識別子記憶部３５は、現在携帯電話機１０の周辺にあるＡＰのＳＳＩＤの情報について、最新の情報に加え、直近の数回分のスキャン結果を保持しておいてもよい。直近の数回分のスキャン結果を保持しておく場合、周辺識別子記憶部３５には、携帯電話機１０の周辺に存在したＡＰの履歴が記憶されることになる。携帯電話機１０の周辺に存在したＡＰの履歴は、ユーザの位置の移動履歴を推測するための情報として利用することができる。
【００３８】
たとえば、周辺識別子記憶部３５に、現在周辺にあるＡＰのＳＳＩＤとしてレストランのＡＰ１３のＳＳＩＤが記憶されているとともに過去に周辺にあったＡＰのＳＳＩＤとして自宅のＡＰ１２のＳＳＩＤが記憶されている場合、ユーザが自宅からレストランへと移動したと推測することができる。
【００３９】
設定情報テーブル記憶部３６は、主制御部３７に制御されて、ＳＳＩＤの情報と設定情報（優先利用される情報検索サーバの情報）とを関連付けて記憶するとともに、主制御部３７によりユーザの利用履歴に応じてこの記憶内容について追加や削除などの変更を受ける。この設定情報テーブル記憶部３６に記憶された情報検索サーバは、このサーバに関連付けられたＳＳＩＤを有するＡＰの周辺にユーザが位置する際に、優先的に利用される。なお、設定情報テーブル記憶部３６は、初期状態として何も記憶していなくてもよい。
【００４０】
主制御部３７は、ＣＰＵ、ＲＡＭおよびＲＯＭをはじめとする記憶媒体などにより構成され、この記憶媒体に記憶されたプログラムに従って、携帯電話機１０の動作を制御する。
【００４１】
主制御部３７のＣＰＵは、ＲＯＭをはじめとする記憶媒体に記憶されたウェブページ閲覧支援プログラムおよびこのプログラムの実行のために必要なデータをＲＡＭへロードし、このプログラムに従って、端末の利用履歴を用いることによりユーザの利用形態を考慮してユーザの位置情報に応じたウェブページの閲覧支援を行う処理を実行する。
【００４２】
主制御部３７のＲＡＭは、主制御部３７のＣＰＵが実行するプログラムおよびデータを一時的に格納するワークエリアを提供する。
【００４３】
主制御部３７のＲＯＭをはじめとする記憶媒体は、携帯電話機１０の起動プログラム、ウェブページ閲覧支援プログラムや、これらのプログラムを実行するために必要な各種データを記憶する。また、これらの記憶媒体または設定情報テーブル記憶部３６は、携帯電話機１０がＷＬＡＮ接続する際に認証を必要とするＡＰのＳＳＩＤと認証鍵の情報とをあらかじめ記憶しておく。この種の認証を必要とするＡＰとしては、自宅や勤務先のＡＰや有料の公衆ＡＰなどが考えられる。
【００４４】
なお、ＲＯＭをはじめとする記憶媒体は、磁気的もしくは光学的記録媒体や半導体メモリや図示しないカードスロットに装着されたＵＩＭ（User Identity Module）カードなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００４５】
ここで電子ネットワークとは、電気通信技術を利用した情報通信網全般を意味し、有線／無線ＬＡＮやインターネット網１０２のほか、移動体通信網１０１を含む電話通信回線網、光ファイバ通信ネットワーク、ケーブル通信ネットワークおよび衛星通信ネットワークなどを含む。
【００４６】
図４は、主制御部３７のＣＰＵによる機能実現部の構成例を示す概略的なブロック図である。なお、この機能実現部は、ＣＰＵを用いることなく回路などのハードウエアロジックによって構成してもよい。
【００４７】
主制御部３７のＣＰＵは、ウェブページ閲覧支援プログラムによって、少なくとも閲覧ページ内容解析部４１、関連ページ提示部４２、識別子取得部４３、設定情報抽出部４４、設定情報決定部４５およびテーブル変更部４６として機能する。この各部４１〜４６は、ＲＡＭの所要のワークエリアを、データの一時的な格納場所として利用する。
【００４８】
図５は、主制御部３７により、ユーザが閲覧中のウェブページの内容が解析され、このウェブページの内容に関連するウェブページの情報が提案される様子の一例を示す説明図である。
【００４９】
閲覧ページ内容解析部４１は、ユーザがウェブブラウザなどを用いて閲覧中であるウェブページ（以下、閲覧ページという）（図５の左側参照）の内容を解析する。
【００５０】
関連ページ提示部４２は、閲覧ページ内容解析部４１の解析結果にもとづいて所定の情報検索サーバを用いて閲覧中のウェブページに関連するウェブページの情報を検索して取得し、この関連するウェブページ（関連ページ）の情報を表示部２８に表示させる（図５の右側参照）。
【００５１】
識別子取得部４３は、ユーザの指示を受けたときまたは所定の時間間隔で利用可能な周波数帯域（チャンネル）をスキャンしたりビーコンを受信したりすることにより、ＷＬＡＮ通信部３４を介して周辺のＡＰと少なくともアソシエーション前までのデータの送受信を行い、この結果受信した信号からＳＳＩＤの情報を取得する。識別子取得部４３は、このＳＳＩＤの情報を周辺識別子記憶部３５に記憶させる。
【００５２】
設定情報抽出部４４は、周辺識別子記憶部３５に記憶されたＳＳＩＤを用いて設定情報テーブルを検索し、このＳＳＩＤの情報に関連付けられた設定情報（優先利用される情報検索サーバの情報など）を抽出する。
【００５３】
設定情報決定部４５は、設定情報抽出部４４により抽出された設定情報にもとづいて、優先利用すべき情報検索サーバの情報を関連ページ提示部４２に出力する。
【００５４】
なお、設定情報には、少なくとも優先利用される情報検索サーバの情報を含み、検索結果を絞り込むためのキーワードなどが含まれてもよい。たとえば、自宅のＡＰ１２に対して関連付けられる設定情報として、ＤＬＮＡサーバ１１の情報に加え、キーワードとして「動画」が記憶されている場合、関連ページ提示部４２により提示される情報には、ＤＬＮＡサーバ１１に記憶された動画のパスが優先的に含まれるようになる。
【００５５】
なお、設定情報決定部４５は、あらかじめ利用を禁止された情報検索サーバ（禁止検索サーバ）の情報を利用可能に構成してもよい。優先利用すべき情報検索サーバ（優先検索サーバ）が禁止検索サーバの一つである場合には、設定情報決定部４５は、関連ページ提示部４２に対して優先検索サーバの情報を出力しなくてもよい。また、ユーザに対してこの優先検索サーバの利用の可否を問う選択画像を表示部２８に表示させ、この選択画像に対するユーザ操作に応じて関連ページ提示部４２に対して優先検索サーバの情報を出力するか否かを決定してもよい。
【００５６】
テーブル変更部４６は、ユーザの利用履歴に応じて設定情報テーブル記憶部３６の内容を変更する。たとえば、テーブル変更部４６は、ユーザがウェブページを閲覧中に周辺のＡＰのＳＳＩＤの情報が取得されると、閲覧中のウェブページを提供する情報検索サーバの情報を取得し、周辺のＡＰのＳＳＩＤの情報と閲覧中のウェブページを提供する情報検索サーバの情報とを関連付けて設定情報テーブル記憶部３６に記憶させる。また、テーブル変更部４６は、ユーザにより入力部２５を介して関連ページ提示部４２により利用されるべき情報検索サーバが設定されると、周辺識別子記憶部３５に記憶されたＳＳＩＤの情報と追加された所定の情報検索サーバとを関連付けて設定情報テーブル記憶部３６に記憶させる。
【００５７】
（２）ユーザの位置情報に応じたウェブページの閲覧支援
（２−１）位置情報の取得
一般に、携帯端末の位置の情報を取得するための方法としては、基地局１００のＩＤを用いる方法、ＧＰＳ（Global Positioning System）を用いる方法およびＡＰのＳＳＩＤを用いる方法が考えられる。
【００５８】
基地局１００のＩＤを用いて携帯端末の現在位置の情報を取得する場合、位置の特定精度が数Ｋｍ程度となってしまい、非常に大まかな位置の情報しか得ることができない。
【００５９】
携帯端末が備えるＧＰＳ（Global Positioning System）機能を用いて現在位置の情報を取得する場合、数ｍ程度の高精度で現在位置の緯度経度の特定が可能である。しかし、この方法では、三次元的に「いま建物ＡのＮ階にいる」といった情報を得ることは難しい。またＧＰＳ機能で測位した位置と携帯端末の周囲の状況とを関連付けることは容易でない。
【００６０】
一方、ＡＰのＳＳＩＤを用いて携帯端末の現在位置の情報を取得する場合、位置の特定精度は数十ｍ程度である。また、ＡＰのＳＳＩＤからは、ＡＰが飲食店に設置されたものであるか駅に設置されたものであるかなどの、各ＡＰの意味情報を取得することが可能である場合が多い。このため、ＡＰのＳＳＩＤを用いて携帯端末の現在位置の情報を取得する方法が最も実用的な方法であるといえる。
【００６１】
一般に、ＡＰには、一意ではないが固有のＩＤであるＳＳＩＤが設定される。このため、各ＡＰの設置位置とＳＳＩＤとの関わりを把握すれば携帯端末の位置する状況を特定することが可能である。
【００６２】
もちろん、ＳＳＩＤはＡＰごとに一意ではないため、ＷＬＡＮ機能を有する携帯端末が接続したＡＰのＳＳＩＤのみから携帯端末の現在位置を特定することは必ずしも可能ではない。しかし、同一のＳＳＩＤがＡＰに関する共通の情報を提供するものであれば、携帯端末は、ＳＳＩＤのみから現在位置の意味情報を含む情報を取得可能であるといえる。たとえば、チェーン展開する飲食店のそれぞれに配置された各ＡＰが同一のＳＳＩＤを有する場合、このＳＳＩＤを取得した携帯端末は、現在この飲食店の周辺にいることが推測できる。
【００６３】
そこで、本実施形態に係る携帯電話機１０は、携帯電話機１０の現在位置の情報を取得するにあたり、ＡＰのＳＳＩＤを用いる方法を適用する。
【００６４】
携帯電話機１０は、ビーコン信号からＳＳＩＤを取得することが可能である。したがって、ＡＰのビーコン信号にＳＳＩＤの情報が含まれている場合、携帯電話機１０は、ＳＳＩＤの情報を取得する目的では、ＡＰとアソシエーションを伴う無線ＬＡＮ接続を確立する必要が無い。この場合、携帯電話機１０は、ＡＰからビーコン信号を受信することができれば足り、ＡＰとアソシエーション前のデータ送受信を行うことができればよいといえる。
【００６５】
したがって、本実施形態に係る携帯電話機１０は、認証キーを全く知らずアソシエーションすることができない（ＷＬＡＮ接続を確立することができない）ＡＰであっても、このＡＰが発信するビーコンに含まれたＳＳＩＤを取得して周辺識別子記憶部３５に記憶させることができる。このため、携帯電話機１０によれば、携帯電話機１０の工場出荷時以降に設置された新たなＡＰのＳＳＩＤであっても、このＡＰが発信するビーコンにＳＳＩＤが含まれていればこの新たなＡＰのＳＳＩＤを容易に取得して利用することができる。
【００６６】
ＡＰのＳＳＩＤがビーコン信号に含まれている場合、このＳＳＩＤはたとえば以下の手順により取得することができる。携帯電話機１０の識別子取得部４３は、まず、ユーザによる入力部２５を介したＳＳＩＤの取得試行指示やウェブページ閲覧支援の開始指示を受け、またはあらかじめ設定された所定の時間間隔で、ＷＬＡＮ通信部３４を介してビーコンを受信する。次に、識別子取得部４３は、受信したビーコン信号からＳＳＩＤの情報を取得する。そして、識別子取得部４３は、この取得したＳＳＩＤの情報を周辺識別子記憶部３５に記憶させる。このとき、ＳＳＩＤの取得時間がわかるよう、識別子取得部４３は、ＳＳＩＤの情報に対して時刻情報やスキャンタイミングごとにインクリメントされる数値などを関連付けておくとよい。
【００６７】
なお、ビーコン信号にＳＳＩＤの情報が含まれない場合は、識別子取得部４３は、ビーコンを発信したＡＰに対してあらかじめ主制御部３７のＲＯＭをはじめとする記憶媒体または設定情報テーブル記憶部３６に記憶されたＳＳＩＤを送信してもよい。また、ビーコン信号そのものが受信されない場合には、識別子取得部４３は、あらかじめ記憶媒体に記憶されたＳＳＩＤをブロードキャストしてprobe requestを行い、このブロードキャストしたＳＳＩＤを有するＡＰからのprobe responseを待ってもよい。probe responseは、ＡＰのＳＳＩＤの情報を含む信号により構成される。また、記憶媒体に認証キーが記憶されたＳＳＩＤを有するＡＰに対しては、この認証キーを用いてアソシエーションを伴うＷＬＡＮ接続を確立してもよい。
【００６８】
以下の説明では、ビーコン信号にＳＳＩＤの情報が含まれない場合やビーコン信号そのものが受信されない場合（ＡＰがいわゆるステルス設定されている場合）には、携帯電話機１０は、周辺にＡＰが存在しないと判断する場合の例について示す。
【００６９】
（２−２）ユーザの位置情報に応じたウェブページの閲覧支援
ウェブページ閲覧支援技術は、閲覧ページの内容に関連するウェブページの情報をユーザに提示することによりユーザのウェブページ閲覧を支援するための技術である。この技術によれば、携帯電話機１０は、閲覧ページと関連するウェブページを提示することでユーザの関心を掘り起こし、更なるＷｅｂブラウジングを促すことでユーザの利便性を向上させるともにユーザにＷｅｂブラウジングを楽しんでもらうことができる。
【００７０】
本実施形態に係る携帯電話機１０は、さらに、ユーザの位置情報を利用してウェブページ閲覧支援を効果的に行うものである。
【００７１】
図６は、ユーザの位置情報に応じたウェブページの閲覧支援の手順を説明するためのフローチャートである。図６において、Ｓに数字を付した符号は、フローチャートの各ステップを示す。また、図７は、ＳＳＩＤ「Restaurant」に関する設定情報テーブル記憶部３６の記憶内容の一例を示す説明図である。なお、ＳＳＩＤ「Restaurant」は、レストランのＡＰ１３にあらかじめ設定されたＳＳＩＤであるものとする。
【００７２】
図６に示す手順は、ユーザにより入力部２５を介してウェブページ閲覧支援の開始指示が行われてスタートとなる。なお、以下の説明では、ユーザがレストランのＡＰ１３の周辺に位置している場合の例について示す。
【００７３】
ステップＳ１において、閲覧ページ内容解析部４１は、閲覧ページの内容を解析する。
【００７４】
ステップＳ２において、設定情報抽出部４４は、周辺識別子記憶部３５に記憶された最新のスキャン結果からＳＳＩＤ（「Restaurant」）を読み出し、このＳＳＩＤを用いて設定情報テーブル記憶部３６を検索し、このＳＳＩＤの情報に関連付けられた設定情報（レシピ検索優先の情報）を抽出する。
【００７５】
次に、ステップＳ３において、設定情報決定部４５は、設定情報抽出部４４により抽出された設定情報（レシピ検索優先）にもとづいて、優先利用すべき情報検索サーバ（レシピ検索サーバ）の情報を関連ページ提示部４２に出力する。
【００７６】
次に、ステップＳ４において、関連ページ提示部４２は、設定情報決定部４５から受けた優先検索サーバ（レシピ検索サーバ）、および、閲覧ページの内容に関連するウェブページを提供しうる情報検索サーバ（以下、内容関連検索サーバという）から、関連ページの検索に用いる情報検索サーバを選定する。内容関連検索サーバとしては、たとえば、閲覧ページがニュース関連ページである場合、ニュース検索サーバが選定対象となる。
【００７７】
次に、ステップＳ５において、関連ページ提示部４２は、閲覧ページ内容解析部４１による閲覧ページの内容解析結果をキーとして、ステップＳ４で選定された情報検索サーバを用いて検索を実行し、検索結果を取得する。
【００７８】
次に、ステップＳ６において、関連ページ提示部４２は、取得した検索結果から、閲覧ページの内容に関連性が高いものを選択する。このとき、関連ページ取得部は、優先検索サーバから取得された検索結果を優先的に選択する。
【００７９】
そして、ステップＳ７において、関連ページ提示部４２は、選択したウェブページの情報を表示部２８に表示させる（図５の右側参照）。
【００８０】
以上の手順により、ユーザの位置情報に応じたウェブページの閲覧支援を行うことができる。なお、以上の手順は、ユーザによりまたは初期設定により全ての閲覧ページに対するウェブページ閲覧支援を行うよう設定されている場合は、新たなウェブページの読み込み指示が行われてスタートしてもよい。
【００８１】
本実施形態に係る携帯電話機１０は、設定情報テーブル記憶部３６を利用することにより、現在位置の周辺のＡＰが有するＳＳＩＤに関連付けられた情報検索サーバを優先的に利用する。このため、優先検索サーバを利用しない場合に比べ、携帯電話機１０により提示される関連ページには、優先検索サーバの検索結果が多く含まれる。
【００８２】
たとえば、設定情報テーブル記憶部３６に図７に示す設定情報が記憶されており、周辺識別子記憶部３５にＳＳＩＤ「Restaurant」が記憶されている場合、ユーザに提示される関連ページにはレシピのウェブページやレシピに関連するウェブページが多く含まれることになる。したがって、携帯電話機１０によれば、ユーザは、レストランに滞在中にはレシピのウェブページを提示されるなど、ユーザの現在位置の周囲の状況に深く関連するウェブページの提案を受けることができる。
【００８３】
たとえば、無線ＬＡＮサービスを提供する飲食チェーンが、いずれの店舗でも同一のＳＳＩＤを利用しサービスを提供している場合を考える。この場合、飲食チェーンが提供する無線ＬＡＮサービスのＳＳＩＤが全て「Restaurant」であれば、ユーザはいずれの地域であってもこの飲食チェーンの店舗であればいずれの店舗であっても同様の傾向の関連ページの提供を受けることができる。また、携帯電話機１０は、この飲食チェーンの新規店舗が開店する場合も、設置されるＡＰのＳＳＩＤが同一であれば、新規店舗と他の店舗とで同様の動作を行うことができる。
【００８４】
（３）設定情報テーブルの変更
本実施形態に係る携帯電話機１０の設定情報テーブル記憶部３６の記憶内容は、あらかじめ静的に提供される必要はなく、ユーザの利用履歴に応じて変更可能である。このため、ユーザがウェブページ閲覧支援プログラムを様々な場面で利用することにより、設定情報テーブル記憶部３６の記憶内容はユーザの利用履歴に応じたものとなる。したがって、本実施形態に係る携帯電話機１０は、ユーザの利用形態を考慮してユーザの位置情報に応じた関連ページを提示することができる。
【００８５】
図８は、テーブル変更部４６によりユーザの利用履歴に応じて設定情報テーブル記憶部３６の記憶内容が変更される手順の一例を説明するためのフローチャートである。図８において、Ｓに数字を付した符号は、フローチャートの各ステップを示す。
【００８６】
この手順は、ユーザがウェブページを閲覧中に周辺のＡＰのＳＳＩＤの情報が取得されると、閲覧中のウェブページを提供する情報検索サーバの情報を取得し、周辺のＡＰのＳＳＩＤの情報と閲覧中のウェブページを提供する情報検索サーバの情報とを関連付けて設定情報テーブル記憶部３６に記憶させることによりユーザの利用履歴に応じて設定情報テーブル記憶部３６の内容を変更する際の手順である。
【００８７】
また、図９は、図７に示した設定情報テーブル記憶部３６に対しテーブル変更部４６によりエントリが追加された様子の一例を示す説明図である。なお、ＳＳＩＤ「Station」は、駅に設置されたＡＰにあらかじめ設定されたＳＳＩＤであるものとする。
【００８８】
図８に示す手順は、ユーザがＳＳＩＤ「Station」を有するＡＰが設置された駅の周辺に位置している場合の例について示す。
【００８９】
ステップＳ１１において、テーブル変更部４６は、現在ユーザによりウェブページが閲覧されているか否かを判定する。ウェブページが閲覧中である場合は、ステップＳ１２に進む。一方、ウェブページが閲覧されていない場合は、一連の手順は終了となる。
【００９０】
次に、ステップＳ１２において、識別子取得部４３は、ＷＬＡＮ通信部３４を介してビーコンを受信し、受信したビーコン信号からＳＳＩＤの取得を試みる。ビーコン信号にＳＳＩＤが含まれておりＳＳＩＤが取得された場合はステップＳ１３に進む。一方、ＳＳＩＤが取得されなかった場合は一連の手順は終了となる。
【００９１】
次に、ステップＳ１３において、識別子取得部４３は、ビーコン信号から取得したＳＳＩＤ「Station」の情報を周辺識別子記憶部３５に記憶させる。
【００９２】
次に、ステップＳ１４において、テーブル変更部４６は、閲覧ページを提供する情報検索サーバの情報を取得する。
【００９３】
次に、ステップＳ１５において、テーブル変更部４６は、周辺識別子記憶部３５に記憶された最新のスキャン結果に含まれる周辺のＡＰのＳＳＩＤの情報と、閲覧ページを提供する情報検索サーバの情報と、を関連付けて設定情報テーブル記憶部３６に記憶させる。
【００９４】
以上の手順により、ユーザがウェブページを閲覧中に周辺のＡＰのＳＳＩＤの情報が取得されると、閲覧中のウェブページを提供する情報検索サーバの情報を取得し、周辺のＡＰのＳＳＩＤの情報と閲覧中のウェブページを提供する情報検索サーバの情報とを関連付けて設定情報テーブル記憶部３６に記憶させることによりユーザの利用履歴に応じて設定情報テーブル記憶部３６の内容を変更することができる。
【００９５】
たとえば、いまユーザが駅におり、ユーザが乗り換え案内情報を調べた場合、テーブル変更部４６は、ユーザがＳＳＩＤ「Station」のＡＰが確認される位置では乗り換え案内情報を優先的に出せるよう設定情報テーブル記憶部３６にエントリを追加する（図９参照）。以後、ＳＳＩＤが「Station」であるＡＰが確認される状況では、関連ページ提示部４２は優先的に乗り換え案内情報をユーザに提示ことができる。
【００９６】
また、設定情報テーブル記憶部３６へのエントリ追加が可能であることから明らかなように、本実施形態に係る携帯電話機１０は、同一のＳＳＩＤに対して、ユーザの利用履歴に応じて容易に異なる設定情報を関連付けることができる。たとえば、ユーザがＳＳＩＤ「Station」のＡＰが確認される位置において、あるユーザの携帯電話機１０は乗り換え案内情報を優先的にユーザに提案する一方、他のユーザの携帯電話機１０は天気予報情報を優先的にユーザに提案することがありえる。
【００９７】
したがって、本実施形態に係る携帯電話機１０は、端末の利用履歴を用いることによりユーザの利用形態を考慮してユーザの位置情報に応じたウェブページの閲覧支援を行うことができる。
【００９８】
なお、図８のステップＳ１５において、テーブル変更部４６は、すでに設定情報テーブル記憶部３６にＳＳＩＤ「Station」に関連付けられた設定情報がすでに記憶されている場合、エントリの追加を行わなくてもよいし、すでに記憶された設定情報に対しさらに今回抽出された情報検索サーバに関する情報を加えてもよい。
【００９９】
また、図８では、ステップＳ１２およびＳ１３においてあらためて周辺ＡＰのＳＳＩＤを取得しなおす場合の例について説明したが、これらのステップにかえて「周辺識別子記憶部３５に記憶された最新のスキャン結果にＳＳＩＤが一つでも存在するか否かを判定する」ステップを設けてもよい。この場合、最新のスキャン結果にＳＳＩＤが一つでも存在すると判定されれば図８のステップＳ１４に進み、最新のスキャン結果にＳＳＩＤが一つも無いと判定されれば一連の手順を終了する。
【０１００】
図１０は、テーブル変更部４６によりユーザの利用履歴に応じて設定情報テーブル記憶部３６の記憶内容が変更される手順の他の例を説明するためのフローチャートである。図１０において、Ｓに数字を付した符号は、フローチャートの各ステップを示す。図８と同様のステップには、同一の符号を付して説明を省略する。
【０１０１】
この手順は、ユーザにより入力部２５を介して関連ページ提示部４２により利用されるべき情報検索サーバが設定されると、周辺識別子記憶部３５に記憶されたＳＳＩＤの情報と追加された所定の情報検索サーバとを関連付けて設定情報テーブル記憶部３６に記憶させることによりユーザの利用履歴に応じて設定情報テーブル記憶部３６の内容を変更する際の手順である。
【０１０２】
ステップＳ２１において、テーブル変更部４６は、ユーザにより入力部２５を介して関連ページ提示部４２により利用されるべき情報検索サーバが設定されたか否かを判定する。ユーザにより情報検索サーバが設定された場合、ステップＳ１２に進む。一方、この設定が行われなかった場合は、一連の手順は終了となる。
【０１０３】
たとえば、ユーザがレストランに滞在中、ウェブページ閲覧支援プログラムの設定メニューから一時的にレシピ検索サーバを検索対象として加えた場合、このレシピ検索サーバが「ユーザにより入力部２５を介して設定された関連ページ提示部４２により利用されるべき情報検索サーバ」である。
【０１０４】
ステップＳ２２において、テーブル変更部４６は、周辺識別子記憶部３５に記憶された最新のスキャン結果に含まれる周辺のＡＰのＳＳＩＤの情報と、ユーザにより入力部２５を介して設定された関連ページ提示部４２により利用されるべき情報検索サーバの情報と、を関連付けて、設定情報テーブル記憶部３６に記憶させる。
【０１０５】
図１０に示した手順により、ユーザにより入力部２５を介して関連ページ提示部４２により利用されるべき情報検索サーバが設定されると、周辺識別子記憶部３５に記憶されたＳＳＩＤの情報と追加された所定の情報検索サーバとを関連付けて設定情報テーブル記憶部３６に記憶させることによりユーザの利用履歴に応じて設定情報テーブルの内容を変更することができる。
【０１０６】
図１０に示した手順によっても、図８に示した手順と同様に、本実施形態に係る携帯電話機１０は、端末の利用履歴を用いることによりユーザの利用形態を考慮してユーザの位置情報に応じたウェブページの閲覧支援を行うことができる。
【０１０７】
なお、設定情報テーブル記憶部３６の記憶内容をユーザの利用履歴に応じたものとする手順は、図８および図１０に示した手順に限られない。たとえば、新たに設置されたＡＰがＳＳＩＤと設定情報とからなる情報を提供する場合、テーブル変更部４６はこの情報を設定情報テーブル記憶部３６に記憶させるとよい。また、テーブル変更部４６は、設定情報テーブル記憶部３６に記憶された設定情報のうち、所定の期間以上利用されなかった設定情報を設定情報テーブル記憶部３６から削除してもよい。
【０１０８】
（４）複数のＳＳＩＤが確認される場合（第２の実施形態）
上記説明では、識別子取得部４３により一つのＳＳＩＤが取得される場合の例について示した。しかし、一般に、識別子取得部４３により一度のスキャンで複数のＳＳＩＤが取得される場合がある。
【０１０９】
図１１は、ユーザがＳＳＩＤ「Restaurant」のレストランのＡＰ１３およびＳＳＩＤ「Station」の駅のＡＰ１４の両ＡＰ１３および１４からビーコン信号を受信可能な位置にいる様子を示す説明図である。また、図１２は、第２の実施形態に係る設定情報テーブル記憶部３６の記憶内容の一例を示す説明図である。
【０１１０】
図１１に示す場合、識別子取得部４３は、ＳＳＩＤ「Restaurant」およびＳＳＩＤ「Station」を取得し、これらのＳＳＩＤを周辺識別子記憶部３５に記憶させる。
【０１１１】
この場合、図６の手順を実行するにあたり、ステップＳ２において、設定情報抽出部４４は、周辺識別子記憶部３５に記憶された最新のスキャン結果からＳＳＩＤ「Restaurant」およびＳＳＩＤ「Station」を読み出し、これらのＳＳＩＤを用いて設定情報テーブルを検索する。このとき抽出される設定情報は、図１２に示すように、ＳＳＩＤ「Restaurant」に関連付けられた「レシピ検索優先」と、ＳＳＩＤ「Station」に関連付けられた「乗り換え案内優先」と、さらに、ＳＳＩＤが「(Restaurant)&&(Station)」の表記に関連付けられた設定情報である「駅に近い飲食店検索優先」である。
【０１１２】
なお、記号「＆＆」は２つのＳＳＩＤの論理積を表すものとする。ＳＳＩＤが「(Restaurant)&&(Station)」の表記に関連付けられた設定情報は、ＳＳＩＤ「Restaurant」のレストランのＡＰ１３とＳＳＩＤ「Station」の駅のＡＰ１４とが同時に確認される場合に初めて適用される設定情報であることを示すものとする。
【０１１３】
設定情報決定部４５が、設定情報抽出部４４により抽出された設定情報を加算的に関連ページ提示部４２に出力する場合、関連ページ提示部４２により提示される関連ページには、「レシピ検索」の結果と「乗り換え案内」の結果に加えて「駅に近い飲食店」の結果が優先的に表示されるようになる。
【０１１４】
なお、設定情報決定部４５は、設定情報抽出部４４により抽出される設定情報に複数のＳＳＩＤに関連付けられた設定情報（「(Restaurant)&&(Station)」に関連付けられた設定情報など）が含まれる場合、関連ページ提示部４２に対してこの設定情報のみを出力し、他の単一のＳＳＩＤに関連付けられた設定情報を除外してもよい。
【０１１５】
また、関連ページ提示部４２が複数の関連ページを提示する際、複数の設定情報（「Restaurant」、「Station」、「(Restaurant)&&(Station)」）の優先度付をどのように行うかは任意である。また、上記説明では２つのＳＳＩＤが同時に取得される場合の例に付いて示したが、２つのＳＳＩＤのうちいずれか一方のみが確認される場合について「(Restaurant)||(Station)」と表記し、この場合について設定情報を関連付けてもよい。なお、記号「||」は論理和を表すものとする。さらに、設定情報は、ＳＳＩＤが３つ以上である場合や、「ＳＳＩＤ「Restaurant」は確認されるもののＳＳＩＤ「Station」が確認されない」場合などであっても同様に定義することができる。
【０１１６】
本実施形態に係る携帯電話機１０によれば、複数のＳＳＩＤが確認された場合の設定情報を利用することができる。このため、単独のＳＳＩＤに対する設定情報のみにより動作する場合に比べ、より精度の高い動作設定が可能となる。
【０１１７】
（５）確認されるＳＳＩＤが時間的に変化する場合（第３の実施形態）
図１３は、ユーザがＳＳＩＤ「Station」の駅のＡＰ１４からビーコン信号を受信可能な位置から、ＳＳＩＤ「Neighbor」の自宅近隣のＡＰ１５からビーコン信号を受信可能な位置へ移動する様子を示す説明図である。自宅近隣のＡＰ１５は、自宅の近隣で他人が運用するＡＰである。
【０１１８】
また、図１４は、第３の実施形態に係る設定情報テーブル記憶部３６の記憶内容の一例を示す説明図である。
【０１１９】
なお、確認されるＳＳＩＤが時間的に変化する場合に対応するため、周辺識別子記憶部３５は、現在携帯電話機１０の周辺にあるＡＰのＳＳＩＤの情報について、最新の情報に加え、直近の数回分のスキャン結果を保持しておく。
【０１２０】
図１３に示す場合、周辺識別子記憶部３５は、最新のスキャンの結果取得されたＳＳＩＤ「Neighbor」および前回のスキャンの結果取得されたＳＳＩＤ「Station」を記憶している。
【０１２１】
この場合、図６の手順を実行するにあたり、ステップＳ２において、設定情報抽出部４４は、周辺識別子記憶部３５に記憶された最新のスキャン結果からＳＳＩＤ「Neighbor」を読み出すとともに前回のスキャン結果からＳＳＩＤ「Station」を読み出し、これらのＳＳＩＤを用いて設定情報テーブルを検索する。
【０１２２】
このとき抽出される設定情報は、図１４に示すように、単独のＳＳＩＤ「Station」および「Neighbor」のそれぞれに関連付けられた「乗り換え案内優先」および「テレビ番組検索優先」と、さらに、ＳＳＩＤが「(Station)―＞(Neighbor)」の表記に関連付けられた設定情報である「スーパー特売情報優先」である。本実施例において記号「（Ａ）―＞（Ｂ）」は識別子取得部４３により取得されたＳＳＩＤがＡからＢへと時間変化したことを表すものとする。
【０１２３】
設定情報抽出部４４は、ＳＳＩＤ「Station」の駅のＡＰ１４が確認された後にＳＳＩＤ「Neighbor」の自宅近隣のＡＰ１５が確認されると、設定情報「スーパー特売情報優先」を抽出する。
【０１２４】
なお、ＳＳＩＤ「Station」の駅のＡＰ１４が確認された後に、ＳＳＩＤ「Restaurant」のレストランのＡＰ１３が確認され、その後ＳＳＩＤ「Neighbor」の自宅近隣のＡＰ１５が確認された場合にも、「(Station)―＞(Neighbor)」の表記に関連付けられた設定情報を抽出するようにしてもよい。
【０１２５】
（６）ユーザが空間的に移動する一方で確認されるＳＳＩＤが変化しない場合（第４の実施形態）
図１５は、ユーザがＳＳＩＤ「MyCar」の車のＡＰ１６からビーコン信号を受信可能な位置である車内におり、この車で移動する様子を示す説明図である。また、図１６は、第４の実施形態に係る設定情報テーブル記憶部３６の記憶内容の一例を示す説明図である。
【０１２６】
ユーザが電車や自動車に乗っており、識別子取得部４３が電車や自動車に搭載された同一のＡＰのＳＳＩＤを確認する状況が継続しつつユーザが空間的に移動する状況では、その他のＳＳＩＤが追加で確認されない限り、関連ページ提示部４２は同様の動作を行う。
【０１２７】
そこで、図１６に示すように、同一のＳＳＩＤが連続して確認される場合であっても、付加条件を用いて設定情報を変更させることにより、ユーザが空間的に移動する一方で確認されるＳＳＩＤが変化しない場合に対応する。
【０１２８】
付加条件を用いるため、本実施形態に係る設定情報テーブル記憶部３６は、ＳＳＩＤの情報と設定情報（優先利用される情報検索サーバの情報）と付加条件とを関連付けて記憶する。
【０１２９】
図１７は、本実施形態に係る主制御部３７のＣＰＵによる機能実現部の構成例を示す概略的なブロック図である。図１７に示す機能実現部は、図４に示す機能実現部に付加条件取得部４７を追加したものであり、他の構成および作用は図４に示す機能実現部と異ならないので、同一の構成には同一符号を付して説明を省略する。
【０１３０】
付加条件取得部４７は、車のＡＰ１６のＳＳＩＤ「MyCar」を除く現在位置に関連する情報を外部の機器から取得し、この情報を設定情報抽出部４４に与える。設定情報抽出部４４は、付加条件取得部４７から取得した情報を付加情報として利用する。
【０１３１】
たとえば、ユーザが自動車に乗車しており、自動車にＡＰ１６が設置されている場合について考える。この場合、付加条件取得部４７は、自動車が備えたカーナビゲーショシステム５０から得られる情報を付加条件として利用するよう、設定情報抽出部４４に与える。
【０１３２】
カーナビゲーションシステム５０から得られる情報としては、たとえば高速道路のインターチェンジから現在位置までの距離の情報などが挙げられる。
【０１３３】
図１６に示す例では、ＳＳＩＤが「MyCar」であり付加条件が「高速道路ＩＣから５ｋｍ以内」に対応する設定情報は「グルメ情報優先」である。このため、携帯電話機１０が、ＳＳＩＤ「MyCar」のＡＰ１６を確認可能な位置（車内など）にあり、かつ自動車が高速道路のインターチェンジ付近（５ｋｍ以内）にある場合にのみ、設定情報「グルメ情報優先」が適用されることになる。
【０１３４】
ここで、付加条件の「高速道路ＩＣから５ｋｍ以内」が適用される場合について説明する。この場合として、たとえば複数の高速道路のインターチェンジから５ｋｍ以内に同一のＳＳＩＤをもつＡＰが設置される場合が挙げられる。なお、この場合、設置されたＡＰのＳＳＩＤのエントリを設定情報テーブル記憶部３６に追加することで対応することができ、付加条件取得部４７は必要とされない。また、付加条件取得部４７が現在の車の位置から高速道路のインターチェンジまでの距離をカーナビゲーションシステム５０などの外部の機器から取得する場合、この取得した情報から「高速道路ＩＣから５ｋｍ以内」であるか否かを判定することが可能である。また、ＧＰＳや基地局１００のＩＤを利用する例も考えられる。ＧＰＳを利用する場合であれば、取得される緯度・経度情報から地図情報を利用するなどして「高速道路ICから５ｋｍ以内」であるか否かを判断することが可能である。基地局１００のＩＤを利用する場合もＧＰＳの場合と同様に基地局１００から各高速道路ＩＣまでの距離を踏まえて「高速道路ＩＣから５ｋｍ以内」であるか否かを判断することが可能である。
【０１３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【０１３６】
たとえば、携帯電話機１０がユーザの個人プロファイルを保持している場合、この個人プロファイルから得られる嗜好情報をキーワードなどとして利用することにより、関連ページをユーザに受け入れられ易くするよう関連ページの提案精度を向上させことができる。
【０１３７】
また、設定情報テーブル記憶部３６は、同一のＳＳＩＤに対して複数の優先検索サーバを関連付けて記憶してもよい。この場合、複数の優先検索サーバどうしの優先順位は、たとえば各優先検索サーバが過去に利用された回数に応じて決定してもよい。
【０１３８】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１３９】
１０  携帯電話機
１１  ＤＬＮＡサーバ
１２  自宅のＡＰ
１３  レストランのＡＰ
１４  駅のＡＰ
１５  自宅近隣のＡＰ
１６  車のＡＰ
２１  第１のユニット
２２  第２のユニット
２３  連結部
２４  第１のユニットの筐体
２５  入力部
２６  マイクロフォン
２７  第２のユニットの筐体
２８  表示部
２９  レシーバ
３１  移動体通信用アンテナ
３２  移動体通信部
３３  ＷＬＡＮ通信用アンテナ
３４  ＷＬＡＮ通信部
３５  周辺識別子記憶部
３６  設定情報テーブル記憶部
３７  主制御部
４１  閲覧ページ内容解析部
４２  関連ページ提示部
４３  識別子取得部
４４  設定情報抽出部
４５  設定情報決定部
４６  テーブル変更部
４７  付加条件取得部
５０  カーナビゲーションシステム
１００  基地局
１０１  移動体通信網
１０２  インターネット網
１１０  情報検索サーバ群
【図１】
2011155458.tif 000003
【図２】
2011155458.tif 000004
【図３】
2011155458.tif 000005
【図４】
2011155458.tif 000006
【図５】
2011155458.tif 000007
【図６】
2011155458.tif 000008
【図７】
2011155458.tif 000009
【図８】
2011155458.tif 000010
【図９】
2011155458.tif 000011
【図１０】
2011155458.tif 000012
【図１１】
2011155458.tif 000013
【図１２】
2011155458.tif 000014
【図１３】
2011155458.tif 000015
【図１４】
2011155458.tif 000016
【図１５】
2011155458.tif 000017
【図１６】
2011155458.tif 000018
【図１７】
2011155458.tif 000019